(57)【要約】【課題】水タンクと組み合わさる形態の操縦席の近傍に、水タンクの機能に影響を与えることなく飲料容器を置く場所を確保し、オペレータの作業環境を向上することができる転圧機械を提供する。【解決手段】水タンク(6)は、操縦席(8)が設けられる部分が凹み、車体(4)の前後方向で視て操縦席よりも後側の部分が背部(10)をなすとともに、車体の幅方向で視て操縦席よりも左右外側の部分のうちいずれか一方または双方が車体の前後方向で視て前方に延びて背部から連なる袖部(16)をなし、袖部には、ドリンクホルダ(40)が凹設されている。【選択図】図１
2018165461.tif 000002
【特許請求の範囲】
【請求項１】
車体に設けられ、散水用の水を貯蔵する水タンクと、
前記水タンクの上に前記車体の幅方向中央部かつ前後方向前部に位置して設けられ、オペレータが着座する操縦席と、を備え、
前記水タンクは、前記操縦席が設けられる部分が凹み、前記車体の前後方向で視て前記操縦席よりも後側の部分が背部をなすとともに、前記車体の幅方向で視て前記操縦席よりも左右外側の部分のうちいずれか一方または双方が前記車体の前後方向で視て前方に延びて前記背部から連なる袖部をなし、
前記袖部には、ドリンクホルダが凹設されている、転圧機械。
【請求項２】
前記ドリンクホルダは、前記操縦席の座部の前記車体の前後方向中心よりも後方に位置して設けられる、請求項１に記載の転圧機械。
【請求項３】
前記ドリンクホルダの底面から前記袖部の端まで連なる溝部を更に有する、請求項１または２に記載の転圧機械。
【発明の詳細な説明】
【技術分野】
【０００１】
本発明は転圧機械に係り、特にオペレータの作業環境を向上させる技術に関する。
【背景技術】
【０００２】
現在、道路舗装工事で使用される転圧機械では、例えば後輪として設けられた転圧ローラと路面とに散水しながら路面の締め固めを実施している。このため、転圧機械には、転圧ローラ及び路面に散水するための水を貯留する車輪用及び路面用散水タンク（以下、単に水タンクという）を備えている。
【０００３】
しかしながら、小型の転圧機械では、水タンクを配設することによって転圧機械を大きくするという問題がある。
そこで、水タンクの上面にオペレータが着座するための操縦席を設け転圧機械の全長を短くする技術が開発されている（特許文献１）。
【先行技術文献】
【特許文献】
【０００４】
【特許文献１】特開平９−５９９１４号公報
【発明の概要】
【発明が解決しようとする課題】
【０００５】
しかしながら、上記特許文献１に開示される技術のように水タンクの上面に操縦席を設けることは水タンクの容量を小さくすることとなるため、極力水タンクの容量を小さくしないように、水タンクと隙間なく組み合わさる形態の操縦席を配設している。
一方で、道路舗装工事は炎天下で行われることが多く、オペレータは水分補給のために飲料容器を操縦席に持ち込むことが多いのであるが、上記のように操縦席が水タンク上に隙間なく配設されていると、操縦席周辺には飲料容器を置く場所を設ける十分なスペースがなく、オペレータは、例えば飲料容器を操縦席の上に置いたり、作業現場の近くに置いたりすることになる。飲料容器を操縦席の上に置く場合には、操縦中に飲料容器が不用意に移動してしまう虞があり、作業現場の近くに置く場合には、転圧機械を一旦休機させて飲料容器を取りに行かなければならず、好ましいことではない。
【０００６】
また、水タンクに市販のドリンクホルダを取り付けようとしても、水タンクは一般的に所謂回転成形で成形された一体型の樹脂製の中空のタンクとなっているため、穴を空ける等の加工をすることは、水タンクに貯蔵する水の漏えいになるため原則としてできない。
本発明はこのような課題に鑑みてなされたものであり、その目的とするところは、水タンクと組み合わさる形態の操縦席の近傍に、水タンクの機能に影響を与えることなく飲料容器を置く場所を確保し、オペレータの作業環境を向上することができる転圧機械を提供することにある。
【課題を解決するための手段】
【０００７】
上記の目的を達成するため、本発明の転圧機械は、車体に設けられ、散水用の水を貯蔵する水タンクと、前記水タンクの上に前記車体の幅方向中央部かつ前後方向前部に位置して設けられ、オペレータが着座する操縦席とを備え、前記水タンクは、前記操縦席が設けられる部分が凹み、前記車体の前後方向で視て前記操縦席よりも後側の部分が背部をなすとともに、前記車体の幅方向で視て前記操縦席よりも左右外側の部分のうちいずれか一方または双方が前記車体の前後方向で視て前方に延びて前記背部から連なる袖部をなし、前記袖部には、ドリンクホルダが凹設されていることを特徴とする。
【０００８】
これにより、水タンクの袖部を凹ませることで、水タンクに穴を空ける等の加工をすることなく水タンクの袖部にドリンクホルダが設けられる。
その他の態様として、前記ドリンクホルダは、前記操縦席の座部の前記車体の前後方向中心よりも後方に位置して設けられるのが好ましい。
【０００９】
これにより、ドリンクホルダをオペレータの視点よりも後方に位置させることが可能とされ、オペレータの視認可能な範囲を狭めることなく飲料容器を置くことが可能とされる。
その他の態様として、前記ドリンクホルダの底面から前記袖部の端まで連なる溝部を更に有するのが好ましい。
【００１０】
これにより、例えば雨水等がドリンクホルダにかかる場合であっても、雨水等は溝部を通じてドリンクホルダの外部に排出され、ドリンクホルダに雨水等が溜まることを抑制することが可能とされる。
【発明の効果】
【００１１】
本発明の転圧機械によれば、水タンクの袖部を凹ませてドリンクホルダを設けたので、水タンクに穴を空ける等の加工をすることなく、水タンクの機能に影響を与えることなく水タンクの袖部にドリンクホルダを設けることができる。
【００１２】
これにより、オペレータは、持ち込んだ飲料容器を操縦席の近傍に確保しておき、作業中に操縦席にいながらにして良好に水分を摂取することができるので、オペレータの作業環境を向上させることができる。
【図面の簡単な説明】
【００１３】
【図１】本発明に係るコンバインドローラの構成図である。
【図２】水タンクと操縦席の分解図である。
【図３】第１実施形態における図１中の領域Ａの拡大図である。
【図４】第２実施形態における図１中の領域Ａに対応する部分の拡大図である。
【図５】図４のＩ−Ｉ断面の断面図である。
【発明を実施するための形態】
【００１４】
以下、図面に基づき本発明の一実施形態について説明する。
＜第１実施形態＞
図１を参照すると、本発明に係る転圧機械の一種であるコンバインドローラ１の構成図が示されている。コンバインドローラ１は、前輪であって金属製の面を有する鉄輪ローラ５と後輪であってゴム製の面を有する転圧ローラ２とが車体４に配設されて構成されている。
【００１５】
車体４には、車体４の前後方向で視て最後部に位置して水タンク６が設けられている。
水タンク６は、転圧ローラ２による締固め作業の際に散水するために用いる水を貯蔵するタンクである。詳しくは、道路舗装工事において、転圧ローラ２によってアスファルトを締固める際、主に転圧ローラ２にアスファルトが付着することを防ぐために、転圧ローラ２やアスファルトに図示しない散水ノズルから水タンク６内の水を散水する。
【００１６】
また、水タンク６は、車体４の幅方向で視て中央部かつ前後方向で視て前部が重力方向で視て下側に凹んで構成されている。
【００１７】
水タンク６の上記凹んだ部分には、コンバインドローラ１のオペレータ３が座る操縦席８が設けられている。これより、水タンク６の車体４の後側には背部１０が形成され、水タンク６の車体４の幅方向で視て左右両側には背部１０から連なる袖部１６が形成されている。即ち、操縦席８が水タンク６の背部１０及び袖部１６によって囲まれるように設けられている。
【００１８】
図２を参照すると、水タンク６と操縦席８の分解図が示されており、以下、操縦席８の構成及び水タンク６と操縦席８との関係について説明する。
同図に示すように、操縦席８はシートクッション（座部）２０ａとシートバック２０ｂからなるシート２０、シート２０を囲うように保持するフレーム２２、支持部材２４及び支持部材２６を有して構成されている。
【００１９】
フレーム２２は、車体４の幅方向で視てシート２０の左右外側に肘掛３０を有している。即ち、操縦席８は、車体４の幅方向で視て水タンク６の袖部１６よりも内側に肘掛３０が設けられ、さらに肘掛３０に狭まれるようにしてシート２０が設けられて構成されている。
【００２０】
水タンク６は、所謂回転成形で成形され、一体型の樹脂製のタンクであって中空となっている。そのため、オペレータ３の姿勢等によって重心が水タンク６の中央部から大きくずれる場合には水タンク６の局所的な負担が発生し、歪みを生じることとなる。さらに、水タンク６に穴を空ける等の加工をすることは、水タンク６に貯蔵する水の漏えいになるため、原則としてできない。
【００２１】
そこで、操縦席８は、シート２０を囲うように設けられるフレーム２２の底部を支持するよう支持部材２４及び支持部材２６を備えている。これら支持部材２４及び支持部材２６は直接車体４に支持されている。これにより、オペレータ３の姿勢等によってシート２０及びフレーム２２にかかる重心が水タンク６の中央部から大きくずれる場合であっても、支持部材２４及び支持部材２６によって水タンク６の局所的な負担を軽減させ、水タンク６の歪み等をなくすことができる。即ち、このような構造によって、水タンク６の上に操縦席８を設けた場合であっても、水タンク６の歪みや変形によって操縦席８の姿勢が変わらないように操縦席８を支持することが可能であり、水タンク６に貯蔵する水が漏えいすることもない。
【００２２】
そして、水タンク６の袖部１６には、飲料容器（ペットボトル、カップ、缶等）を置くためのドリンクホルダ４０が設けられている。
上述した通り、水タンク６には穴を空ける加工をすることが原則としてできないため、水タンク６に飲料容器を置くための適当な大きさの穴を設ける等の対応が困難である。そこで、ここでは水タンク６を成形することで水タンク６の袖部１６にドリンクホルダ４０を設けるようにしている。
【００２３】
図３を参照すると、図１中の領域Ａの拡大図が示されている。
水タンク６の袖部１６には、ドリンクホルダ４０が凹設されている。詳しくは、袖部１６の重力方向で視て上面から重力方向に向かって、ドリンクホルダ４０としての凹部４２が車体４の前後方向で視て前後に２つ並んで設けられている。凹部４２は、例えば５００ｍｌのペットボトル５２を挿入可能かつ転倒させない程度に保持可能な開口径及び深さに設定された円筒状の窪みである。なお、凹部４２は、円筒状の形状でなくてもよく、多角形形状であってもよい。
【００２４】
凹部４２同士は、車体４の前後方向で重なる部分に互いの底面が連続する連通部４３を有して連通しており、前側の凹部４２からは車体４の前後方向で視て前方に向かって溝部４４が延設されている。これら連通部４３と溝部４４によって雨水等を外部に排出することが可能である。
溝部４４は、凹部４２から袖部１６の前面（袖部の端）１６ａまで連なる壁４４ａと凹部４２の底面から連続する底部４４ｂとで構成されている。
【００２５】
そして、これら凹部４２、連通部４３及び溝部４４は、水タンク６の回転成形により一体成形されている。即ち、水タンク６の回転成形に使用する成形型にドリンクホルダ４０を成形するべく凹部４２、連通部４３及び溝部４４に対応する凸部を設けることで、水タンク６の成形時に同時に袖部１６にドリンクホルダ４０を成形している。これにより、水タンク６に穴を空ける加工等をすることなく、水タンク６の袖部１６にドリンクホルダ４０を設けることができる。
【００２６】
図１及び図３に示すように、ドリンクホルダ４０は、車体４の前後方向で視て操縦席８のシートクッション２０ａの中心ＣＬよりも後方に位置して袖部１６に設けられている。
コンバインドローラ１のような転圧機械においては、オペレータ３が操縦席８に着座したときのオペレータ３の視点５０はシートクッション２０ａの中心ＣＬよりも前方に位置すると考えられる。
【００２７】
従って、シートクッション２０ａの中心ＣＬよりも後方にドリンクホルダ４０を配置することで、ドリンクホルダ４０をオペレータ３の視点５０よりも後方に位置させることが可能であり、ドリンクホルダ４０にペットボトル５２を置いたとして、ペットボトル５２が側方におけるオペレータ３の視界を妨げることがなく、オペレータ３の視認範囲を狭めることがない。
【００２８】
＜第２実施形態＞
以下、図４に基づき第２実施形態について説明する。
図４を参照すると、第２実施形態における図１中の領域Ａに対応する部分の拡大図が示されている。
【００２９】
第２実施形態では、上記連通部４３及び溝部４４に代えて溝部１４４を設けてドリンクホルダ１４０を構成するようにしており、以下、第１実施形態と共通する部分については説明を省略し、異なる部分についてのみ説明する。
袖部１６には、重力方向で視て上面から重力方向に向かい、ドリンクホルダ１４０を構成する凹部１４２が車体４の前後方向で視て前後に２つ並んで設けられている。
【００３０】
そして、ドリンクホルダ１４０においては、凹部１４２から袖部１６の側面（袖部の端）１６ｂまで連なるようにして雨水等を外部に排出するための溝部１４４が形成されている。図５を参照すると、図４のＩ−Ｉ線に沿う断面図が示されており、同図に示すように、溝部１４４の底部１４４ｂは凹部１４２の底面１４２ｂから連続し、雨水等を排出し易いよう端面１６ｂに向かうにつれて重力方向に傾いている。
【００３１】
以上説明したように、本発明に係る転圧機械では、オペレータ３が着座する操縦席８が水タンク６の車体４の幅方向中央部かつ前後方向前部に設けられ、車体４の幅方向で視て操縦席８よりも左右外側の部分のうちいずれか一方または双方に袖部１６が設けられ、袖部１６にドリンクホルダ４０、１４０としての凹部４２、１４２を設けるようにしている。
【００３２】
従って、水タンク６に穴を空ける等の加工をすることなく、水タンク６の機能に影響を与えることなく、水タンク６の袖部１６に飲料容器（ペットボトル、カップ、缶等）を置くためのドリンクホルダ４０、１４０を設けることができる。故に、オペレータ３は、持ち込んだ飲料容器を操縦席８の近傍に確保しておき、作業中に操縦席８にいながらにして良好に水分を摂取することができ、オペレータ３の作業環境を向上させることができる。
【００３３】
特に、ドリンクホルダ４０、１４０は、車体４の前後方向で視て操縦席８のシートクッション２０ａの中心ＣＬよりも後方に位置して設けられている。
従って、ドリンクホルダ４０、１４０をオペレータ３の視点５０よりも後方に位置させるようにでき、オペレータ３の側方の視界を極力妨げないようにして、ドリンクホルダ４０、１４０に飲料容器（ペットボトル、カップ、缶等）を置くことができる。
【００３４】
そして、第１実施形態のドリンクホルダ４０には連通部４３及び溝部４４が設けられ、第２実施形態のドリンクホルダ１４０には溝部１４４が設けられている。
従って、雨水等がドリンクホルダ４０、１４０にかかる場合であっても、これら連通部４３及び溝部４４や溝部１４４を通じて雨水等をドリンクホルダ１４０の外部に排出させるようにでき、ドリンクホルダ４０、１４０に雨水等を溜めないようにできる。
【００３５】
以上で本発明に係る転圧機械の説明を終えるが、本発明は上記実施形態に限られるものではなく、発明の主旨を逸脱しない範囲で変更可能である。
例えば、本実施形態では、コンバインドローラ１について説明したが、水タンク６を車体４の後部に配置する転圧機械であれば、コンバインドローラ１に限られるものではない。
【００３６】
また、本実施形態では、シート２０を囲うフレーム２２を支持部材２４及び支持部材２６を介して直接車体４に支持することで操縦席８を水タンク６の上に配設するようにしたが、操縦席８の水タンク６上への設置の仕方はこれに限られるものではない。
【００３７】
また、本実施形態では、例えば５００ｍｌのペットボトル５２を挿入可能かつ転倒させない程度に保持可能な開口径及び深さの窪みとしてドリンクホルダ４０、１４０を構成したが、凹部４２毎及び凹部１４２毎に保持可能な開口径及び深さを変えるようにし、それぞれ対応する飲料容器のサイズを異ならせるようにしてもよい。即ち、凹部４２のいずれか一方及び凹部１４２のいずれか一方を５００ｍｌのペットボトルに対応した開口径及び深さとし、他方をこれより開口径を小さく深さを浅くして缶やカップに対応させるようにしてもよい。
【００３８】
また、本実施形態では、凹部４２、１４２を２つ並べてドリンクホルダ４０、１４０を構成しているが、凹部４２、１４２は単数でも３つ以上でもよい。
また、本実施形態では、第２実施形態において、溝部１４４を側面１６ｂに向かうにつれて底部１４４ｂが重力方向に傾くよう構成したが、第１実施形態において、溝部４４を前面１６ａに向かうにつれて底部４４ｂが重力方向に傾くよう構成してもよい。さらに、溝部４４、１４４の配置や形状については、凹部４２、１４２に溜まる雨水等を排水できればいかなる形状であってもよい。
【００３９】
また、本実施形態では、袖部１６やドリンクホルダ４０、１４０を車体４の幅方向で視て操縦席８よりも左右外側の部分の双方に設ける場合について説明したが、袖部１６を一方だけに設けてもよいし、ドリンクホルダ４０、１４０を一方だけに設けてもよい。
【符号の説明】
【００４０】
１  コンバインドローラ（転圧機械）
３  オペレータ
６  水タンク
８  操縦席
１６  袖部
１６ａ  前面（袖部の端）
１６ｂ  側面（袖部の端）
２０  シート
２０ａ  シートクッション（座部）
４０、１４０  ドリンクホルダ
４２、１４２  凹部
４４、１４４  溝部
【図１】
2018165461.tif 000003
【図２】
2018165461.tif 000004
【図３】
2018165461.tif 000005
【図４】
2018165461.tif 000006
【図５】
2018165461.tif 000007